(57)【要約】      （修正有）【課題】全体的な部品構成を単純化し、大量生産を容易に行える移動通信端末機用のサイドキーモジュールを提供する。【解決手段】移動通信端末機の側面に装着されるサイドキーと内部に装着される内部印刷回路基板との間に設けられるサイドキーモジュールにおいて、長板形状からなり、導電性材質のパターンが形成されているピーシービー１０と、一側は、前記パターンに接触し、他側は、前記内部印刷回路基板に接触する導電性材質の接触端子２０と、前記ピーシービーの一側に組み付けられ、前記サイドキーを押圧すると、前記パターンに接触され、前記パターン及び接触端子を電気的に連結するメタルドームとを含む。【選択図】図１
2011109633.tif 000002
【特許請求の範囲】
【請求項１】
移動通信端末機の側面に装着されるサイドキーと内部に装着される内部印刷回路基板との間に設けられるサイドキーモジュールにおいて、
長板形状からなり、導電性材質のパターンが形成されているピーシービーと、
一側は、前記パターンに接触し、他側は、前記内部印刷回路基板に接触する導電性材質の接触端子と、
前記ピーシービーの一側に組み付けられ、前記サイドキーを押圧すると、前記パターンに接触され、前記パターン及び接触端子を電気的に連結するメタルドームとを含む、移動通信端末機用のサイドキーモジュール。
【請求項２】
前記接触端子が挿入装着される接触端子ハウジングをさらに含む、請求項１に記載の移動通信端末機用のサイドキーモジュール。
【請求項３】
前記メタルドーム及びピーシービーを保護するトップテープを含む、請求項１または２に記載の移動通信端末機用のサイドキーモジュール。
【請求項４】
前記パターンは、前記メタルドームに対応する形状からなり、メタルドームと接触する第１のパターンと、
前記接触端子に対応する形状からなり、接触端子と接触する第２のパターンとを含む、請求項３に記載の移動通信端末機用のサイドキーモジュール。
【請求項５】
前記接触端子は、
前記第２のパターンに接触する第１の折曲部、及び
前記内部印刷回路基板に接触する第２の折曲部を含む、請求項４に記載の移動通信端末機用のサイドキーモジュール。
【発明の詳細な説明】
【技術分野】
【０００１】
本発明は、移動通信端末機のサイドキーモジュールに関するものであって、導電性材のパターンが形成されたピーシービーにより全体的な部品構成を単純化し、大量生産が容易となるサイドキーモジュールに関する。
【背景技術】
【０００２】
移動通信端末機は、使用者が携帯しながら相手側と無線通信を行えるための装置であって、このような移動通信端末機は、外観及び作動状態によって、バータイプ（ｂａｒ-ｔｙｐｅ）、フリップタイプ（ｆｌｉｐ-ｔｙｐｅ)、折畳みタイプ(ｆｏｌｄｅｒ-ｔｙｐｅ)、スライドタイプ（ｓｌｉｄｅ-ｔｙｐｅ）、スイングタイプ（ｓｗｉｎｇ-ｔｙｐｅ）の５種類に大別できる。
【０００３】
このような移動通信端末機には、移動通信端末機に取り付けられているカメラを操作したり、音量を様々に調節すべく、移動通信端末機本体の前面に露出されるキーパッドの他に、本体の側面にサイドキーが設けられている。
【０００４】
従来のサイドキーモジュールは、印刷回路基板に接触する多数のプレートと、該プレートが収容されるための胴体とを有する構造からなっているので、構成部品点数が多くなり、しかもこれら構成部品等をそれぞれ生産しなければならない不都合があった。
【０００５】
また、生産されたそれぞれの部品等を組み付け、サイドキーモジュールを作製するため、組立性が低くなる。
【発明の概要】
【発明が解決しようとする課題】
【０００６】
したがって、本発明は、前記した問題点等を解決するために案出されたものであって、導電性材のパターンが形成されているピーシービーにより、全体的な部品の構成を単純化すると共に、大量生産を容易にする移動通信端末機のサイドキーモジュールを提供することにその目的がある。
【課題を解決するための手段】
【０００７】
本発明に係るサイドキーモジュールは、移動通信端末機の側面に装着されるサイドキーと内部に装着される内部印刷回路基板との間に設けられるサイドキーモジュールにおいて、長板形状からなり、導電性材質のパターンが形成されているピーシービー、一側は、パターンに接触し、他側は、前記内部印刷回路基板に接触する導電性材質の接触端子、及び、ピーシービーの一側に組み付けられ、サイドキーが押圧されると、パターンに接触され、パターン及び接触端子を電気的に連結するメタルドームを含む。
【発明の効果】
【０００８】
本発明のサイドキーモジュールによれば、次のような効果を有する。第一に、導電性材質のパターンが形成されているピーシービーが、多数のプレートと胴体に代えられるので、構成部品を単純化できる。第二に、ピーシービーに形成されたパターンにより接触が行われるので、衝撃による断線現状を防止できる。最後に、構成部品が単純化され、大量生産が容易であり、しかも大量生産された部品等間の組立性を大きく向上できる。
【図面の簡単な説明】
【０００９】
【図１】本発明の一実施例による移動通信端末機のサイドキーモジュールの斜視図である。
【図２】図１に示す移動通信端末機のサイドキーモジュールの分解斜視図である。
【図３】本発明の他の実施例による移動通信端末機のサイドキーモジュールの分解斜視図である。
【図４】図３に示す移動通信端末機のサイドキーモジュールの分解斜視図である。
【発明を実施するための形態】
【００１０】
以下、本発明の一実施例による移動通信端末機のサイドキーモジュールの望ましい実施例を添付図面に基づいて説明する。この説明において、図の線の太さや構成要素のサイズ等は、説明の便宜上誇張して示される場合もある。
【００１１】
また、後で述べられる用語等は、本発明における機能を考慮して定義された用語であって、当業者の意図や慣例などに応じて変わることもできる。そのことから、これら用語に対する定義は、本明細書の全般に亘る技術内容に基づいて下されるべきである。
【００１２】
しかも、下記の実施例は、本発明の権利範囲を限定するものではなく、本発明の請求範囲に記載された構成要素の例示的な事項に過ぎず、本発明の明細書全般に亘る技術思想に含まれ、請求範囲の構成要素において均等物に置き換えられる構成要素を含んだ実施例は、本発明の権利範囲に属するといえる。
【００１３】
図１は、本発明の一実施例による移動通信端末機のサイドキーモジュールの斜視図、図２は、図１に示す移動通信端末機のサイドキーモジュールの分解斜視図、図３は、本発明の他の実施例による移動通信端末機のサイドキーモジュールの分解斜視図、図４は、図３に示す移動通信端末機のサイドキーモジュールの分解斜視図である。
【００１４】
本発明の望ましい実施例による移動通信端末機のサイドキーモジュールは、移動通信端末機の側面に装着されるサイドキーと内部に装着される内部印刷回路基板との間に設けられるサイドキーモジュールにおいて、長板形状からなり、導電性材質のパターン１１が形成されたピーシービー１０と、一側は、前記パターン１１に接触しており、他側は、前記内部印刷回路基板に接触するようになっている導電性材質の接触端子２０と、前記ピーシービー１０の一側に組み付けられ、前記サイドキーを押圧したとき、前記パターン１１に接触し、前記パターン１１及び接触端子２０を電気的に連結するメタルドーム３０とを、含む。
【００１５】
移動通信端末機のサイドキーモジュールは、移動通信端末機のサイドキーと移動通信端末機の内部印刷回路基板との間に設けられ、使用者が、サイドキーを押圧した場合、押圧された信号を内部印刷回路基板に送る役割を奏する。
【００１６】
サイドキーモジュールは、ピーシービー１０、接触端子２０、及びメタルドーム３０を含む。
【００１７】
図２に示されているように、ピーシービー１０は、長板形状からなる。そして、ピーシービー１０には、所定のパターン１１が形成される。パターン１０は、導電性材質から形成されているので、パターン１１を通じて信号が伝えられる。
【００１８】
図２に示されているように、接触端子２０は、パターン１１と内部印刷回路基板に接触するようになっており、望ましくは、折り曲げられて構成される。
【００１９】
ピーシービー１０の一端の両側には、段付部が形成されていてもよく、この段付部は、サイドキーモジュールを移動通信端末機内に組み付ける場合、組付けの方向をガイドするために形成されるものであって、これによりサイドキーを組み付けるとき、逆挿入の虞を防止できる。
【００２０】
メタルドーム３０は、ピーシービー１０の一側に組み付けられ、サイドキーが内部印刷回路基板の方向に押圧された場合、その方向に変形を起こし、パターン１１に接触され、それによってパターン１１と接触端子２０が電気的につながるようにする。メタルドーム３０は、弾性変形をするもので、サイドキーに加えられた圧力が消滅すると、元の状態に戻り、それに応じてサイドキーも元の状態に戻る。
【００２１】
メタルドーム３０は、様々な形状から構成され得るが、望ましくは、サイドキーに繰り返して圧力が与えられる場合も、復元力を維持できるように半球形状に形成されていてもよい。
【００２２】
サイドキーは、移動通信端末機の側面に装着され、内部印刷回路基板は、移動通信端末機の内部に装着されており、さらに、サイドキーモジュールは、サイドキーと内部印刷回路基板との間に配置されるように装着されている。
【００２３】
本発明の望ましい実施例による移動通信端末機のサイドキーモジュールは、さらに、前記接触端子２０が挿入装着される接触端子ハウジング５０を含む。
【００２４】
即ち、図４のように、接触端子２０を保護するための接触端子ハウジング５０を備えていてもよい。接触端子ハウジング５０には、接触端子２０が、きちんと取り付けられるように接触端子２０に対応して挿着溝が形成される。
【００２５】
接触端子２０が挿入装着されている状態で、接触端子ハウジング５０が、ピーシービー１０の一側面に位置すると、接触端子２０とパターン１１が互いに接触することになるが、接触端子ハウジング５０は、接触端子２０を堅固に支持しているので、移動通信端末機に衝撃が与えられても、断線を防止できる。
【００２６】
本発明の望ましい実施例による移動通信端末機のサイドキーモジュールにおいて、さらに、前記メタルドーム３０及びピーシービー１０を保護するためのトップテープ４０を含む。
【００２７】
即ち、図２と図４に示されたように、メタルドーム３０及びピーシービー１０を保護するためにトップテープ４０を備えていてもよい。トップテープ４０は、ピーシービー１０への異物の浸透を防止し、決められた位置にメタルドーム３０が固定され、サイドキーの押圧時に信号の伝達が正確に行われるようにする。
【００２８】
本発明の望ましい実施例による移動通信端末機のサイドキーモジュールにおいて、前記パターン１１は、前記メタルドーム３０に対応する形状からなり、メタルドーム３０と接触する第１のパターン１１ａと、前記接触端子２０に対応する形状からなり、接触端子２０と接触する第２のパターン１１ｂとを、含む。
【００２９】
図２と図４に示されているように、パターン１１は、第１のパターン１１ａと第２のパターン１１ｂを含む。
【００３０】
第１のパターン１１ａは、メタルドーム３０との接触が行われる部分として、メタルドーム３０に対応する形状からなり、枠部と中心部から構成される。メタルドーム３０は、第１のパターン１１ａの枠部に当接し、第１のパターン１１ａの中心部に選択的に当接するものであって、メタルドーム３０が、内部印刷回路基板の方向へ移動すると、メタルドーム３０の中央部は、 第１のパターン１１ａの中心部に当接し、パターン１１と接触端子２０を電気的に連結する。
【００３１】
第２のパターン１１ｂは、接触端子２０と接触する部分として、接触端子２０に対応する複数個のフォーク状からなる。
【００３２】
本発明の望ましい実施例による移動通信端末機のサイドキーモジュールにおいて、前記接触端子２０は、前記第２のパターン１１ｂに接触する第１の折曲部２１及び前記内部印刷回路基板に接触する第２の折曲部２２を、含む。
【００３３】
即ち、図２と図４のように、接触端子２０は、第１の折曲部２１と第２の折曲部２２とを、含む。
【００３４】
第１の折曲部２１は、ピーシービー１０に形成された第２のパターン１１ｂに接触する部分として、第２のパターン１１ｂの方向に折り曲がって形成される。
【００３５】
第２の折曲部２２は、第１の折曲部を除いた部分として、内部印刷回路基板例と接触する部分でもある。
【符号の説明】
【００３６】
１０  ピーシービー（ＰＣＢ）
１１  パターン
１１ａ  第１のパターン
１１ｂ  第２のパターン
２０  接触端子
２１  第１の折曲部
２２  第２の折曲部
３０  メタルドーム
４０  トップテープ
５０  接触端子ハウジング
【図１】
2011109633.tif 000003
【図２】
2011109633.tif 000004
【図３】
2011109633.tif 000005
【図４】
2011109633.tif 000006